(57)【要約】【課題】本発明は、電子装置が回転してもユーザーが正確に状態情報を読める電子装置及び状態情報の表示方法を提供する。【解決手段】本発明の電子装置は、システムモジュールと、制御モジュール及び表示モジュールを含む。システムモジュールは、電子装置の状態情報を記憶する状態情報ユニットを含む。制御モジュールは、前記電子装置の置き状態と対応する設定値を生成する設定ユニット及び状態情報ユニットから前記設定値と対応する状態情報を読み取るための表示制御ユニットを含む。表示モジュールは、電子装置の状態情報を表示する。また電子装置が回転してもユーザーが正確に状態情報を読める電子装置の状態情報の表示方法を提供する。本発明に係る電子装置を異なる置き状態にする場合には、ユーザーは、自由に該電子装置の状態情報の表示方式を調整できるから、正確に状態情報を読み取ることに便利である。【選択図】図１
2007102784.tif 000002
【特許請求の範囲】
【請求項１】
電子装置の状態情報を記憶する状態情報ユニットを有するシステムモジュール、及び該電子装置の状態情報を表示する表示モジュールを含む電子装置において、
制御モジュールを更に含み、該制御モジュールは、前記電子装置の置き状態と対応する設定値を生成する設定ユニット、及び前記状態情報ユニットから前記設定値と対応する状態情報を読み取るための表示制御ユニットを有することを特徴とする電子装置。
【請求項２】
前記状態情報ユニットは、電子装置の第一状態情報を記憶する第一状態情報ユニットと、電子装置の第二状態情報を記憶する第二状態情報ユニットと、電子装置の第三状態情報を記憶する第三状態情報ユニットと、電子装置の第四状態情報を記憶する第四状態情報ユニットと、を含むことを特徴とする請求項１記載の電子装置。
【請求項３】
前記設定ユニットは、ユーザーが制御するかどうかをスキャンするためのスキャンユニットを更に含むことを特徴とする請求項1記載の電子装置。
【請求項４】
前記表示モジュールは、前記電子装置の状態情報を表示する表示ユニットと、該表示ユニットを駆動する駆動ユニット及び該駆動ユニットに制御電圧を提供する電圧制御ユニットを含むことを特徴とする請求項1記載の電子装置。
【請求項５】
初期の設定値を読み取るステップと、
初期の設定値によって、状態情報を読み取って表示するステップと、
ユーザーからの制御情報をスキャンするステップと、
設定値を変更するステップと、
変更した設定値によって状態情報を読み取って表示するステップと、を含むことを特徴とする状態情報の表示方法。
【請求項６】
変更した設定値が限定値を超えるかどうかをスキャンするステップを更に含むことを特徴とする請求項５記載の状態情報の表示方法。
【請求項７】
変更した設定値が限定値を超えるなら、前記設定値をリセットするステップを更に含むことを特徴とする請求項６記載の状態情報の表示方法。
【発明の詳細な説明】
【技術分野】
【０００１】
本発明は、電子装置及び該電子装置の状態情報の表示方法に関し、特に状態情報の表示方式を変更できる電子装置及び方法に関するものである。
【背景技術】
【０００２】
現在は、例えばセットトップボックス（Ｓｅｔ  Ｔｏｐ  Ｂｏｘ）、ＡＤＳＬモデム（ＡＤＳＬ  Ｍｏｄｅｍ）などの電子装置を便利に使用するために、ユーザーは、一般的に電子装置を９０度、１８０度ひいては２７０度回転する場合がある。
【発明の開示】
【発明が解決しようとする課題】
【０００３】
しかし、電子装置が回転すると共に電子装置のスクリーンに表示される情報も回転するから、ユーザーは、電子装置のスクリーンに表示される状態情報を正確に読めないという課題がある。
【０００４】
従って、本発明は、電子装置が回転してもユーザーが正確に状態情報を読める電子装置を提供することを第一目的とする。
【０００５】
本発明は、電子装置が回転してもユーザーが正確に読める状態情報の表示方法を提供することを第二目的とする。
【課題を解決するための手段】
【０００６】
前記第一目的を解決するために、本発明の電子装置は、システムモジュールと、制御モジュール及び表示モジュールを含む。システムモジュールは、電子装置の状態情報を記憶する状態情報ユニットを含む。制御モジュールは、前記電子装置の置き状態と対応する設定値を生成する設定ユニット及び状態情報ユニットから前記設定値と対応する状態情報を読み取るための表示制御ユニットを含む。表示モジュールは、電子装置の状態情報を表示する。
【０００７】
前記第二目的を解決するために、本発明の状態情報の表示方法は、初期の設定値を読み取るステップと、初期の設定値によって、状態情報を読み取って表示するステップと、ユーザーからの制御情報をスキャンするステップと、設定値を変更するステップと、変更した設定値によって状態情報を読み取って表示するステップと、を含む。
【発明の効果】
【０００８】
従来技術と比べて、本発明に係る電子装置を異なる置き状態にする時には、ユーザーが自由に該電子装置の状態情報の表示方式を調整できるから、正確に状態情報を読むことができる。
【発明を実施するための最良の形態】
【０００９】
次に、本発明の電子装置及び該電子装置の状態情報の表示方法を詳しく説明する。
【００１０】
図１は、本発明の実施形態の電子装置１００の構成を示す概略図である。本実施形態において、電子装置１００は、セットトップボックス（Ｓｅｔ  Ｔｏｐ  Ｂｏｘ）、ＡＤＳＬモデム（ＡＤＳＬ  Ｍｏｄｅｍ ）などである。
【００１１】
本実施形態において、電子装置１００は、システムモジュール１１０と、制御モジュール１２０及び表示モジュール１３０を含む。システムモジュール１１０は、状態情報ユニット１１１を含む。制御モジュール１２０は、スキャンユニット１２１０を有する設定ユニット１２１、及び表示制御ユニット１２２を含む。表示モジュール１３０は、電圧制御ユニット１３１と、駆動ユニット１３２と、表示ユニット１３３と、を含む。
【００１２】
システムモジュール１１０は、例えば、通信や、信号のコード化などの機能を実現し、電子装置１００の情報処理回路として利用される。電子装置１００がセットトップボックスである場合には、システムモジュール１１０がビデオサーバーに接続要求、放送要求などを送信する。
【００１３】
図２は、本発明の実施形態の状態情報ユニット１１１の構成を示す概略図である。
【００１４】
本実施形態において、状態情報ユニット１１１は、電子装置１００の状態情報を記憶するために用いられる。例えば、電子装置１００がセットトップボックスである場合に、現在の放送状態及び放送チャンネルなどの情報を表示し、電子装置１００がＡＤＳＬモデムである場合に、現在の接続速度などの情報を表示する。
【００１５】
本実施形態において、状態情報ユニット１１１は、第一状態情報ユニット１１１１と、第二状態情報ユニット１１１３と、第三状態情報ユニット１１１５及び第四状態情報ユニット１１１７を含む。
【００１６】
本実施形態において、電子装置１００が正常に使用される置き状態を第一状態とし、電子装置１００を順時計の方向で９０度回転する置き状態を第二状態とし、電子装置１００を順時計の方向で１８０度回転する置き状態を第三状態とし、電子装置１００を順時計の方向で２７０度回転する置き状態を第四状態とする。第一状態情報ユニット１１１１と、第二状態情報ユニット１１１３と、第三状態情報ユニット１１１５及び第四状態情報ユニット１１１７は、前記四種の置き状態と対応する状態情報を別々に記憶する。本実施形態において、第一状態情報ユニット１１１１は、電子装置１００の第一状態情報を記憶し、第二状態情報ユニット１１１３は、電子装置１００の第二状態情報を記憶し、第三状態情報ユニット１１１５は、電子装置１００の第三状態情報を記憶し、第四状態情報ユニット１１１７は、電子装置１００の第四状態情報を記憶する。
【００１７】
本実施形態において、設定ユニット１２１は、前記置き状態と対応する設定値を生成し、及び変更した設定値が限定値を超えるかどうかを判断する。スキャンユニット１２１０は、ユーザーが制御したかどうかをスキャンする。本実施形態において、それぞれ第一状態と、第二状態と、第三状態及び第四状態に対応する四つの設定値がある。第一状態の設定値が０であり、第二状態の設定値が１であり、第三状態の設定値が２であり、第四状態の設定値が３である。本発明の設定値は、前記例で挙げる値に限らずに、アルファベットで異なる置き状態の設定値としてもよい。例えば、第一状態の設定値をａに設定し、第二状態の設定値をｂに設定し、第三状態の設定値をｃに設定し、第四状態の設定値をｄに設定してもよい。本実施形態において、ユーザーが制御すると、設定ユニット１２１から生成する設定値が逓増または逓減する。例えば、電子装置１００を第一状態にする時には、その設定値が０である。ユーザーが第一回の制御をする時には、設定ユニット１２１から生成する設定値が１になる。ユーザーが第二回の制御をする時には、設定ユニット１２１から生成する設定値が２になる。以後の制御も、これによって、類推される。
【００１８】
本実施形態において、表示モジュール１３０は、状態情報ユニット１１１に記憶される状態情報を表示するために用いられる。表示制御ユニット１２２は、状態情報ユニット１１１から、設定値と対応する状態情報を読み取る。
【００１９】
本実施形態において、設定ユニット１２１から生成する設定値である０を表示制御ユニット１２２に発信すると、表示制御ユニット１２２は、第一状態情報ユニット１１１１の状態情報を読み取る。ユーザーが第一回の制御をする時には、設定ユニット１２１から生成する設定値が１になり、そうすると、表示制御ユニット１２２が第二状態情報ユニット１１１３の状態情報を読み取る。ユーザーが第二回の制御をする時には、設定ユニット１２１から生成する設定値が２になり、そうすると、表示制御ユニット１２２が第三状態情報ユニット１１１５の状態情報を読み取る。ユーザーが第三回の制御をする時には、設定ユニット１２１から生成する設定値が３になり、そうすると、表示制御ユニット１２２が第四状態情報ユニット１１１７の状態情報を読み取る。
【００２０】
本実施形態において、電圧制御ユニット１３１が駆動ユニット１３２に制御電圧を提供し、駆動ユニット１３２が表示ユニット１３３を駆動する。電圧制御ユニット１３１は、対応する駆動ユニット１３２と合わせて使用する。例えば、駆動ユニット１３２が液晶表示装置の駆動ユニットであれば、電圧制御ユニット１３１が液晶表示装置（Ｌｉｑｕｉｄ−ｃｒｙｓｔａｌ  ｄｉｓｐｌａｙ）の駆動ユニットと対応する電圧制御信号を生成するが、駆動ユニット１３２が発光ダイオードの駆動ユニットであれば、電圧制御ユニット１３１は、発光ダイオードの駆動ユニットと対応する電圧制御信号を生成する。
【００２１】
本実施形態において、表示ユニット１３３は、電子装置１００の状態情報を表示する。該状態情報は、放送状態や、放送チャンネルなどを含む。該表示ユニット１３３は、液晶表示装置の表示モジュールまたは発光ダイオードの表示モジュールが採用される。表示ユニット１３３は、駆動ユニット１３２と合わせて使用する必要がある。例えば、表示ユニット１３３が液晶表示装置の表示モジュールであれば、駆動ユニット１３２は、液晶表示装置の駆動ユニットである。
【００２２】
図３は、本発明の実施形態の電子装置１００を異なる置き状態にする模式図である。本実施形態において、電子装置１００は、前記第一状態、前記第二状態、前記第三状態または前記第四状態にしても正常に状態情報を表示できる。
【００２３】
図４は、本発明の実施形態の電子装置１００の状態情報の表示方法のフローチャートである。
【００２４】
電子装置１００の電源を入れるとステップＳ２１１に進み、表示制御ユニット１２２はまず設定ユニット１２１の初期の設定値を読み取る。
【００２５】
それから、ステップＳ２１３に進み、表示制御ユニット１２２が初期の設定値によって、状態情報を読み取って表示する。例えば、表示制御ユニット１２２が読み取る設定値が０である時には、表示制御ユニット１２２は第一状態情報ユニット１１１１の第一状態情報を読み取り、且つ表示モジュール１３０に該第一状態情報を表示する。
【００２６】
本実施形態において、ユーザーが制御すると、ステップＳ２１５に進む。
【００２７】
ステップＳ２１５で、スキャンユニット１２１０は、ユーザーが制御したということをスキャンする。
【００２８】
ステップＳ２１７で、設定ユニット１２１は設定値を変更する。ステップＳ２１９で、前記変更した設定値が限定値を超えるかどうかを判断する。本実施形態において、逓増の方式で設定値を変更する。その他の実施形態において、逓減の方式で設定値を変更してもよい。逓増の方式で設定値を変更する時には、前記の限定値が最大値である。逓減の方式で設定値を変更する時には、前記の限定値が最小値である。例えば、本実施形態において、設定値に１を加えてから、該設定値が３を超えるかどうかを判断する。設定値が限定値を超えるなら、ステップＳ２１１に進むが、設定値が限定値を超えなければ、ステップＳ２２３に進む。
【００２９】
ステップＳ２２１で、設定ユニット１２１は、前記設定値をリセットする。逓増の方式で設定値を変更するので、設定値を最小値である０にリセットする。他の実施形態において、逓減の方式で設定値を変更すれば、設定値を最大値にリセットする。
【００３０】
ステップＳ２２３で、表示制御ユニット１２２は、変更した設定値によって状態情報を読み取って表示する。例えば、設定値に１を加えて２になれば、表示制御ユニット１２２は、第三状態情報ユニット１１１５の第三状態情報を読み取り、且つ表示ユニット１３３に第三状態情報を表示する。設定値に１を加えて４になれば、設定ユニット１２１は、設定値を０にリッセトしてから、第一状態情報ユニット１１１１の第一状態情報を読み取り、且つ表示ユニット１３３に第一状態情報を表示する。
【００３１】
本発明の電子装置１００及びその状態情報の表示方法によって、電子装置１００を異なる置き状態にする場合には、ユーザーは、自由にその状態情報の表示方式を調整できるから、正確に状態情報を読み取ることに便利である。
【図面の簡単な説明】
【００３２】
【図１】本発明の実施形態による電子装置の構成を示す概略図である。
【図２】本発明の実施形態による状態情報ユニットの構成を示す概略図である。
【図３】本発明の実施形態による電子装置を異なる置き状態にする模式図である
【図４】本発明の実施形態による電子装置の状態情報の表示方法のフローチャートである。
【符号の説明】
【００３３】
１００  電子装置
１１０  システムモジュール
１１１  状態情報ユニット
１２０  制御モジュール
１２１  設定ユニット
１２２  表示制御ユニット
１３０  表示モジュール
１３１  電圧制御ユニット
１３２  駆動ユニット
１３３  表示ユニット
１１１１  第一状態情報ユニット
１１１３  第二状態情報ユニット
１１１５  第三状態情報ユニット
１１１７  第四状態情報ユニット
１２１０  スキャンユニット
【図１】
2007102784.tif 000003
【図２】
2007102784.tif 000004
【図３】
2007102784.tif 000005
【図４】
2007102784.tif 000006